(57)【要約】【課題】ウイング部がめくれにくく、下着防汚性にも優れた吸収性物品を提供すること。【解決手段】吸収層１１及び防漏層１６を有する吸収性本体１１と、吸収性本体１１の長手方向両側に設けられ、使用に際し、下着の非肌対向面側に折り曲げられ且つ固定部２３を介して該下着の非肌対向面に固定される一対のウイング部２，２とを有する吸収性物品において、一対のウイング部２，２それぞれは、固定部２３の長さを吸収性物品長手方向に２等分する固定部中心線ＣＬを境に前方部２Ｆと後方部２Ｒに区分したとき、該後方部２Ｒの面積が該前方部２Ｆの面積よりも小さい。【選択図】図３
2008012097.tif 000002
【特許請求の範囲】
【請求項１】
吸収層及び防漏層を有する吸収性本体と、該吸収性本体の長手方向両側に設けられ、使用に際し、下着の非肌対向面側に折り曲げられ且つ固定部を介して該下着の非肌対向面に固定される一対のウイング部とを有する吸収性物品において、
一対のウイング部それぞれは、前記固定部の長さを吸収性物品長手方向に２等分する固定部中心線を境に前方部と後方部に区分したとき、該後方部の面積が該前方部の面積よりも小さい吸収性物品。
【請求項２】
一対のウイング部それぞれの吸収性物品長手方向後側の縁部は、ウイング部先端の縁部の後端とウイング部基端の後端とを通る仮想直線より前方に位置するように湾曲している請求項１記載の吸収性物品。
【請求項３】
一対のウイング部それぞれは、先端の縁部の長さが基端の長さより短い請求項１又は２記載の吸収性物品。
【請求項４】
一対のウイング部それぞれは、吸収性物品長手方向後側の縁部の、前記吸収性本体の長手方向に対する傾斜角度が、吸収性物品長手方向前側の縁部の、該吸収性本体の長手方向に対する傾斜角度よりも大きい請求項１〜３の何れかに記載の吸収性物品。
【請求項５】
一対のウイング部それぞれの先端の縁部が、前記吸収性本体の長手方向に対して傾斜している請求項１〜４の何れかに記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
従来、ウイング部を備えた生理用ナプキン等の吸収性物品が広く知られている。
この種の吸収性物品におけるウイング部は、その片面に粘着部が設けられており、使用の際に、ショーツ等の下着の股下部の側縁に沿って該下着の非肌対向面側に折り曲げられ、該粘着部を介して下着の非肌対向面に固定される。
【０００３】
このようなウイング部は、着用中に、吸収性物品と下着との間に位置ずれが生じるのを防止したり、経血等の体液により下着が汚れることを防止したりするものである。
尚、下着の非肌対向面は、典型的には、下着の外表面であるが、股下部がショーツの外表面をなす外層シートとその内側に一部が外層シートから離間するように設けられた装着部との２重構造を有するもの等においては、該装着部の外層シート側の面が下着の非肌対向面である。
【０００４】
特許文献１には、吸収体を包被した表被シートの両側に耳片を有し、各耳片の裏面に感圧性接着剤を設けた生理用ナプキンが記載されている。また、特許文献２には、長手方向の一方部の両側に設けられた一対のウイングの裏面と長手方向の他方部の防漏層外面のそれぞれに止着手段を設けた生理用ナプキンが記載されている。更に特許文献３には、ウイング部の前側の縁部寄りの位置に粘着部を設けた生理用ナプキンが記載されている。
【０００５】
【特許文献１】実開昭６０−１５８８２８号公報
【特許文献２】実開平４−１０３１１７号公報
【特許文献３】特開２００４−１１３５９１号公報
【発明の開示】
【発明が解決しようとする課題】
【０００６】
しかし、従来のウイング部を有する吸収性物品は、ショーツの股部の曲線形状にフィットしにくいか、ウイングが比較的小さく形成されているため、固定性が低く、着用中に、着用者の動き等によって、ウイング部が下着の非肌対向面から剥がれることがあり、ウイング部がめくれて、ズレ防止効果が損なわれたり、着用者に違和感を与えたりすることがあった。
特許文献１及び３記載の生理用ナプキンにおけるウイング部も同様に、着用中における着用者の動き等により、下着の非肌対向面から剥がれてめくれ易い。
特許文献２記載の生理用ナプキンにおけるウイングは、ナプキンの後端部の両側に設けられ、ナプキンをショーツの又部位置に配置してショーツを着用するだけで自然に腰部位置後方の２箇所に止着されるものであり、ショーツの内表面（肌対向面）に固定されるものである。即ち、特許文献２記載の生理用ナプキンにおけるウイングは、本発明におけるウイング部に該当しない。
【０００７】
従って、本発明の目的は、ウイング部がめくれにくく、下着防汚性にも優れた吸収性物品を提供することにある。
【課題を解決するための手段】
【０００８】
本発明は、吸収層及び防漏層を有する吸収性本体と、該吸収性本体の長手方向両側に設けられ、使用に際し、下着の非肌対向面側に折り曲げられ且つ固定部を介して該下着の非肌対向面に固定される一対のウイング部とを有する吸収性物品において、一対のウイング部それぞれは、前記固定部の長さを吸収性物品長手方向に２等分する固定部中心線を境に前方部と後方部に区分したとき、該後方部の面積が該前方部の面積よりも小さい吸収性物品を提供することにより前記目的を達成したものである。
【発明の効果】
【０００９】
本発明の吸収性物品は、ウイング部がめくれにくく、下着防汚性にも優れている。
【発明を実施するための最良の形態】
【００１０】
以下、本発明をその好ましい実施形態に基づき図面を参照しながら説明する。
本発明の一実施形態である生理用ナプキン１（以下、単にナプキン１ともいう）は、図１及び図２に示すように、吸収層１２及び防漏層１６を具備する縦長の吸収性本体１１と、該吸収性本体１１の長手方向両側に設けられた一対のウイング部２，２とを有する。
【００１１】
吸収層１２は、液透過性の表面シート１３と液保持性の吸収体１４とからなり、防漏層１６は、液不透過性（難透過性も含む概念である）の裏面シートからなる。本実施形態における防漏層１６は、裏面シートのみからなるため、両者に同一の符号１６を付す。
吸収体１４は、表面シート１３と裏面シート１６との間に位置し、これらは一体化されている。尚、吸収性本体１１の非肌対向面（裏面シート１６からなる面）には、ショーツ等の下着の肌対向面（肌側に向けられる面）に止着される本体粘着部（図示略）が設けられている。
【００１２】
ナプキン１は、着用時に着用者の排泄部に対向配置される排泄部対向部Ａと、該排泄部対向部Ａの前後に延在する前方部Ｂ及び後方部Ｃとを有する。ナプキン１の着用時には、前方部Ｂが着用者の前（腹）側に配され、後方部Ｃが着用者の後（背）側に配される。
一対のウイング部２，２は、排泄部対向部Ａにおける、吸収性本体１１の長手方向両側に設けられている。本実施形態における一対のウイング部２，２は、図２に示すように、吸収性本体１１の長手方向の両側縁部に、ウイング部形成用シート２２を固定して形成されている。
表面シート１３の両側部１３ａ，１３ａは、吸収体１４の長手方向両側部を覆うように吸収体１４の裏面シート１６側に巻き下げられており、ウイング部形成用シート２２は、巻き下げられた表面シート１３の両側部１３ａ，１３ａと裏面シート１６との間に挟まれた状態で、これらの両シートに、熱若しくは超音波シール又は接着剤等の、公知の接合方法により固定されている。
【００１３】
一対のウイング部２，２それぞれの片面には、粘着剤が塗工されて、平面視して長方形状の粘着部（固定部）２３，２３が形成されている。
一対のウイング部２，２それぞれは、図３に示すように、それぞれに設けられた粘着部２３の長さＬをナプキン長手方向に２等分する粘着部中心線（固定部中心線）ＣＬを境に前方部２Ｆと後方部２Ｒに区分したとき、該後方部２Ｒの面積が該前方部２Ｆの面積よりも小さくなるようになされている。
本実施形態のナプキン１は、図１に示すように、ウイング部２や粘着部２３の位置や形状を含めて、吸収性本体１１の長手方向に延びる長手方向中央線Ｌ１に対して左右対称の形状を有している。従って、以下においては、一方のウイング部のみを示す図３を参照して説明する場合もあるが、他方のウイング部についても同様である。
【００１４】
本発明者らは、着用中に生じるウイング部のめくれについて鋭意研究した結果、ウイング部のめくれがウイング部の後方側から進行しやすいことを知見し、更にウイング部の形状を、粘着部中心線ＣＬを境に後方部２Ｒと前方部２Ｆとに区分したときの、後方部２Ｒの面積が前方部２Ｆの面積より小さくなるような形状とすることで、ウイング部のめくれを効果的に防止し得ることを知見した。
本実施形態のナプキン１においては、ウイング部２の後方部２Ｒの面積が前方部２Ｆの面積より小さくなっており、そのため、ウイング部のめくれを効果的に防止することができ、位置ズレ防止性に優れ、さらに、ウイング部のめくれが起こり難いことからウイング部による下着防汚性にも優れている。
【００１５】
ウイング部のめくれ防止、下着股下部の側縁を充分な長さに亘って被覆し優れた下着防汚性を得る観点から、後方部２Ｒの面積の、前方部２Ｆの面積に対する割合（百分率）は５０〜９５％であることが好ましく、より好ましくは６０〜７５％である。
【００１６】
ナプキン１におけるウイング部２は、ナプキンの長手方向において相対向する前後一対の縁部２５，２６並びにナプキンの幅方向（ウイング部の延出方向に同じ）において相対向するウイング部先端の縁部２７及びウイング部の基端２８を有している。
ナプキン長手方向後側の縁部２６は、図３に示すように、ウイング部先端の縁部２７の後端２７ｒとウイング部基端２８の後端２８ｒとを通る仮想直線Ｌ２より前方に位置するように湾曲している。縁部２６と仮想直線Ｌ２とは交差していない。
ウイング部２の後側の縁部２６が、このように湾曲していることで、ウイング部のめくれ防止性、下着の湾曲形状への適合性向上による防汚性、及びウイング部の折り返し操作性が一層良好となる。
【００１７】
また、仮想直線Ｌ２から縁部２６までの直線距離Ｌ３（図３参照）は、基端２８から先端の縁部２７に向かうに連れて漸次増大した後、漸次減少しており、先端の縁部２７と基端２８の略中間地点で最大となっている。前記距離Ｌ３の最大値は、２７ｒと２８ｒとを結ぶ線分の長さの５〜５０％、特に５〜２５％であることが好ましい。
【００１８】
ナプキン１におけるウイング部２は、ナプキン長手方向後側の縁部２６の、吸収性本体１１の長手方向に対する傾斜角度θ１（図３参照）が、ナプキン長手方向前側の縁部２５の、該吸収性本体１１の長手方向に対する傾斜角度θ２（図３参照）と略同じである。吸収性本体の長手方向に対する傾斜角度は、吸収性本体１１の長手方向中央線Ｌ１又はそれと平行な直線Ｌ１’に対する傾斜角度である。
後側の縁部２６の傾斜角度θ１が、前側の縁部２５の傾斜角度θ２と略同じか又は該傾斜角度θ２より小さい場合であっても、該後側の縁部２６を、上述したように、仮想直線Ｌ２より前方に位置するように湾曲させることにより、基端２８の長さを長めにして優れた下着防汚性を確保しながら、後方部２Ｒの面積を前方部２Ｆの面積より容易に小さくすることができる。
【００１９】
前記傾斜角度θ１を、前記傾斜角度θ２と略同じ又はそれ以下とする場合、該傾斜角度θ１は３０〜７５度、特に４５〜６５度が好ましく、該傾斜角度θ２は５０〜８０度、特に６０〜８０度が好ましい。傾斜角度θ１と傾斜角度θ２とが略同じという場合には、両者の差の絶対値が５度以下の場合が含まれる。
【００２０】
本実施形態のナプキン１においては、ウイング部２のナプキン長手方向前側の縁部２５は、図３に示すように、直線状をなしており、ウイング部先端の縁部２７の前端２７ｆとウイング部基端２８の前端２８ｆとを通る仮想直線Ｌ４（図５参照）と重なっている。これに代えて、前側の縁部２５も、図５に示す実施形態のウイング部２の前側の縁部２５と同様に、該仮想直線Ｌ４より後方に位置するように湾曲させることもできる。
【００２１】
また、ナプキン１におけるウイング部２は、先端の縁部２７の長さＬ７が基端２８の長さＬ８より短くなっている。先端の縁部２７の長さＬ７が基端２８の長さＬ８より短いことで、下着防汚性を保ちつつ、ウイングのめくれ防止性を付加することができる。縁部２７の長さＬ７は基端２８の長さＬ８の３０〜８０％、特に４０〜６０％であることが好ましい。
【００２２】
図４〜図７は、本発明の他の実施形態である生理用ナプキンのウイング部を示す図（図３相当図)である。図４〜図７に示す他の実施形態については、上述したナプキン１と異なる点について説明し、同様の点については同一の符号を付して説明を省略する。
【００２３】
図４及び図５に示すウイング部２は、ナプキン長手方向後側の縁部２６の、吸収性本体１１の長手方向に対する傾斜角度θ１が、ナプキン長手方向前側の縁部２５の、該吸収性本体１１の長手方向に対する傾斜角度θ２より大きくなっている。
図４に示すウイング部２においては、前側の縁部２５及び後側の縁部２６は、何れも直線状をなしている。これに対して、図５に示すウイング部２においては、後側の縁部２６は、ウイング部先端の縁部２７の後端２７ｒとウイング部基端２８の後端２８ｒとを通る仮想直線Ｌ２より前方に位置するように湾曲しており、前側の縁部２５は、ウイング部先端の縁部２７の前端２７ｆとウイング部基端２８の前端２８ｆとを通る仮想直線Ｌ４より後方に位置するように湾曲している。
【００２４】
図５に示すウイング部２のように、ウイング部２の前側及び／又は後側の縁部２５，２６が、非直線状の場合、非直線状の縁部の、吸収性本体１１の長手方向に対する傾斜角度θ１又はθ２は、吸収性本体１１の長手方向中央線Ｌ１又はそれと平行な直線Ｌ１’に対する、前記仮想直線Ｌ２，Ｌ４の角度とする。
【００２５】
図４や図５に示すウイング部のように、後側の縁部２６の傾斜角度θ１を前側の縁部２５の傾斜角度θ２より大きくして、ウイング部２の後方部２Ｒの面積をウイング部２の前方部２Ｆの面積より小さくすることで、ウイング部のめくれを効果的に防止することができ、位置ズレ防止性に優れ、さらに、ウイング部のめくれが起こり難いことからウイング部による下着防汚性にも優れている。
尚、後側の縁部２６の傾斜角度θ１を前側の縁部２５の傾斜角度θ２より大きくする場合、前記傾斜角度θ１は５０〜９０度、特に６０〜９０度が好ましく、前記傾斜角度θ２は４５〜８０度、特に４５〜７０度が好ましく、傾斜角度の差（θ１―θ２）は、１０〜３０度、特に１５〜２５度が好ましい。
【００２６】
ナプキン１におけるウイング部２の基端２８は、吸収性本体１１とウイング部２との境界部である。図６に示すナプキンのように、ウイング部２より前方に位置する吸収性本体の側縁部１１ａとウイング部２の前側の縁部２５とが角部を介さずに曲線で連続している場合、又はウイング部２より後方に位置する吸収性本体の側縁部１１ｂとウイング部２の後側の縁部２６とが角部を介さずに曲線で連続している場合、図６に示すように、吸収性本体１１の長手方向中央線Ｌ１又はそれと平行な直線Ｌ１’に対する、ナプキン周縁部の接線の角度θ３が３０度となる該周縁部上の点を、ウイング部２の基部２８の前端２８ｆ又は後端２８ｒとする。
また、図６に示すナプキンのように、ウイング部２の前側の縁部２５とウイング部先端の縁部２７とが角部を介さずに曲線で連続している場合、又はウイング部２の後側の縁部２６とウイング部先端の縁部２７とが角部を介さずに曲線で連続している場合、図６に示すように、吸収性本体１１の長手方向中央線Ｌ１又はそれと平行な直線Ｌ１’に対する、ナプキン周縁部の接線の角度θ４が４５度となる該周縁部上の点を、ウイング部２の先端の縁部２７の前端２７ｆ又は後端２７ｒとする。
【００２７】
図７に示すウイング部２においては、ウイング部２の先端の縁部２７が、吸収性本体１１の長手方向に対して傾斜している。ウイング部先端の縁部２７の傾斜方向は、該縁部２７の後端２７ｒより前端２７ｆの方が吸収性本体１１の長手方向中央線Ｌ１の近くに位置する向きであっても良いが、図７に示すように、該縁部２７の前端２７ｆより後端２７ｒの方が吸収性本体１１の長手方向中央線Ｌ１の近くに位置する向きに傾斜していることが好ましい。後者の向き（図７に示す向き）に傾斜している場合、収性本体１１の長手方向中央線Ｌ１又はそれと平行な直線Ｌ１’に対する、該縁部２７の傾斜角度θ５は、１０〜４５、特に１５〜３０であることが好ましい。
【００２８】
上述したナプキン１の各部の形成材料としては、この種の吸収性物品に従来用いられている各種の材料を特に制限なく用いることができる。例えば表面シート１３としては親水性の不織布や開孔フィルムなどを用いることができる。裏面シート１６としては、液不透過性の樹脂フィルムや、樹脂フィルムと不織布、織布との積層体などを用いることができる。吸収体１４としては、フラッフパルプの積繊体又はフラッフパルプと高吸収性ポリマーの粒子との混合積繊体をティッシュペーパー等の透水性材料で被覆したもの等を用いることができる。粘着部２３は、ウイング部を形成するシート材に、スチレン−ブタジエン、スチレン−イソプレン系のような各種ホットメルト型粘着剤等を塗工したり、各種粘着テープを貼着したりして形成することができる。また、本発明の固定部としては、粘着部の他、機械的面ファスナー（マジックテープ（登録商標）等）のオス材等を用いることもできる。
また、ウイング部形成用シート２２としては、伸縮性のシートを用いることもできるが、実質的に非伸縮性のシートを用いることもできる。ウイング部形成用シート２２としては、各種製法による不織布、不織布と樹脂フィルムとの積層体、不織布と紙、織物等との積層体等を用いることができる。尚、本発明においては、ウイング部にシートを蛇腹状の折り曲げてなる拡縮部等を形成する必要もない。
【００２９】
以上、本発明のいくつかの実施形態について説明したが、本発明は上記の実施形態に制限されず、種々の変更可能である。
例えば、図８に示す生理用ナプキンのように、吸収性本体１１の肌対向面を、液透過性の表面シート１３及びその両側それぞれに一部を重ねるように連設した一対のサイド防漏シート１５から構成し、ウイング部２を、吸収体１４の両側縁から外方に延出した、サイド防漏シート１５及び裏面シート１６から構成することもできる。また、表面シート１３、裏面シート１６及びサイド防漏シート１５の何れか一つ又は２以上を、吸収体１４の両側縁から外方に延出させ、延出させた一枚のシート又は二枚以上のシートの積層体によりウイング部２を形成することもできる。
【００３０】
また、上述したナプキン１における粘着部２３は、平面視して長方形状であったが、粘着部等の固定部の平面視形状は、正方形状であっても良く、ウイング部の固定性からは、幅方向端部のウイングの外観形状に類似した形態が良く、例えば、図３〜図６に示す形状のウイング部では、長方形や台形のようにウイング先端部と平行に固定部の幅方向側部の形状が形成されていることが好ましく、図７に示す形状のウイング部では、三角形や五角形のようなウイング先端の突起に合致した形状が良い。
固定部の長手方向長さは、長手方向中央線に対して、最も前方に位置する部分と最も後方に位置する部分との間の長さとし、その長さを吸収性物品長手方向に２等分する粘着部中心線を境に前方部と後方部に区分する。
なお、粘着剤が塗工される際に発生する意図しない塗工ムラ（塗工範囲を越えて粘着剤がある部分）は、下着に対する接着力が低いことから粘着部（固定部）から除くことが好ましい。
また、上述した各実施形態においては、粘着部に代えて、機械的面ファスナーのオス材等からなる機械的係合部を固定部として設けることもできる。
【００３１】
また、本発明の吸収性物品は、生理用ナプキンの他、パンティライナー（おりものシート）、失禁パッド等であっても良い。
また、上述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００３２】
【図１】図１は、本発明の一実施形態である生理用ナプキンを示す平面図である。
【図２】図２は、図１のＩＩ−ＩＩ線断面を示す断面図である。
【図３】図３は、図１に示す生理用ナプキンのウイング部を示す拡大平面図である。
【図４】図４は、本発明の他の実施形態である生理用ナプキンのウイング部を示す図（図３相当図）である。
【図５】図５は、本発明の更に他の実施形態である生理用ナプキンのウイング部を示す図（図３相当図）である。
【図６】図６は、本発明の更に他の実施形態である生理用ナプキンのウイング部を示す図（図３相当図）である。
【図７】図７は、本発明の更に他の実施形態である生理用ナプキンのウイング部を示す図（図３相当図）である。
【図８】図８は、本発明の更に他の実施形態である生理用ナプキンの幅方向に沿う断面を示す図（図２相当図）である。
【符号の説明】
【００３３】
１  生理用ナプキン（吸収性物品）
１１  吸収性本体
１２  吸収層
１３  表面シート
１４  吸収体
１５  サイド防漏シート
１６  裏面シート（防漏層）
２  ウイング部
２Ｆ  前方部
２Ｒ  後方部
２３  粘着部（固定部）
ＣＬ  粘着部中心線（固定部中心線）
２５  ウイング部の吸収性物品長手方向前側の縁部
２６  ウイング部の吸収性物品長手方向後側の縁部
２７  ウイング部の先端の縁部
２７ｒ  先端の縁部の後端
２８  ウイング部の基端
２８ｒ  基端の後端
【図１】
2008012097.tif 000003
【図２】
2008012097.tif 000004
【図３】
2008012097.tif 000005
【図４】
2008012097.tif 000006
【図５】
2008012097.tif 000007
【図６】
2008012097.tif 000008
【図７】
2008012097.tif 000009
【図８】
2008012097.tif 000010